(57)【特許請求の範囲】
【請求項１】
マルチトラックテーブル駆動機構において、磁気ヘッドの粗調及び微調位置決めを提供するヘッド位置決め装置であり、この装置が、
（a）管状形態を有している移動可能なボイスコイル、
（b）ボイスコイルを通過する磁束磁界を発生するためのステータであり、通路を囲む透磁性の内側面を有し、前記通路が前記ステータを少なくとも部分的に通過して延びる、前記ステータ、
（c）電流をボイスコイルに供給して、ボイスコイルを移動する磁気的動力を発生するボイスコイル駆動手段、及び
（d）移動可能な第１の位置決め手段及び固定の第２の位置決め手段を有し、移動可能なボイスコイルの位置を決めるための位置決めする手段、から成り、
（d.1）前記移動可能な第１の位置決め手段及び磁気ヘッドが、ボイスコイルと共に移動するために、ボイスコイルと共に移動可能なキャリッジに固定して結合されており、
（d.2）前記移動可能な第１の位置決め手段が、ボイスコイルの管状形状の外側境界が通過する通路によって境界が定められた領域内に位置されており、
（d.3）前記固定の第２の位置決め手段が、前記境界が定められた領域内に位置され、且つ
（d.4）前記固定の第２の位置決め手段が、前記ステータの内側面に囲まれており且つこの内側面に結合されており、
（d.5）前記固定の第２の位置決め手段に対しての前記移動可能なボイスコイルの位置を検出するために、前記固定の第２の位置決め手段が、前記移動可能な第１の位置決め手段に作動的に結合されている、ヘッド位置決めシステム。
【請求項２】
前記移動可能な第１の位置決め手段が、移動可能な芯片を含み、
前記固定の第２の位置決め手段がコイルアッセンブリを含み、前記移動可能な芯片の位置を検出するために、コイルアッセンブリが、移動可能な芯片に磁気的に結合された少なくとも一つのコイルを有している請求項１記載の位置決めシステム。
【請求項３】
マルチトラックテープ駆動機構における磁気ヘッドの粗調及び微調位置決めを提供する磁気ヘッド位置決め装置であり、この装置が、
（a）内側部分に定められた空胴を有するボイスコイル、
（b）前記ボイスコイルを通過する磁束を発生するステータアッセンブリ、
（c）前記ボイスコイルを支持し、且つ磁気ヘッドを支持する様に構成された移動可能なキャリッジ、及び
（d）前記移動可能なキャリッジに作動的に結合されており、前記移動可能なキャリッジを所定の案内路に沿って案内する案内レール手段であり、前記案内路は、前記磁気ヘッドを、所定の位置に搬送し且つ前記ステータアッセンブリによって発生された磁束を通過して前記ボイスコイルを搬送する、案内レール手段、
（e）キャリッジの位置を、基準フレームに対して測定するキャリッジ位置測定手段であり、
前記キャリッジ位置測定手段が、
（e.1）前記キャリッジと共に移動可能である様に前記キャリッジに結合されていて、前記ボイスコイルの空胴内に位置されている第１の位置測定部、及び
（e.2）前記第１の位置測定部との相対的な位置を検出し、ボイスコイルの空胴によって横切られる領域内に位置する第２の位置測定部、を含むキャリッジ位置測定手段、及び
（f）前記ボイスコイル及び前記キャリッジ位置測定手段に作動的に結合され、前記ボイスコイルを通して電流を流して、動力をボイスコイルに与えるボイスコイル駆動手段であり、これによって、前記キャリッジを所望の位置に推進するボイスコイル駆動手段、から成る、前記磁気ヘッド位置決め装置。
【請求項４】
（g）前記キャリッジに作動的に結合されていて、前記キャリッジの温度を検出する温度検出手段、及び
前記ボイスコイルが、このボイスコイルを通して流される電流を定めるために、前記温度検出手段に更に応答する請求項３記載の磁気ヘッド位置決め装置。
【発明の詳細な説明】
背景
1.  発明の分野
本発明は一般的に磁気記録装置に関係する。本発明はより詳細にはマルチトラックテープのトラックに対して磁気ヘッドを位置決めする装置及び方法に関係する。
2.関連出願との相互参照
以下の対応する米国特許出願は、本出願の譲受人に対して譲渡されており、本願に関連しており、それらの開示はここで参照として組み込まれている。
（A）Nayak等のGEAR DRIVE CARRIAGE AND STEPPER ADJUSTMENT SYSTEMと題される米国特許出願番号０７／７９４，９９９〔代理人整理番号０２６．８９ＯＰＤ−ＵＳ３〕
（B）Nayak等のMECHANISMS FOR A CLOSED LOOP HEAD POSITIONER FOR STREAMING TAPE DRIVESと題される米国特許出願番号０７／９２６，７４３〔代理人整理番号ＣＯＮＮ８３７３ＣＩＰＩ〕
2b. 関連特許との相互参照
以下の米国特許は、本出願の譲受人に対して譲渡されており、本願に関連しており、それらの開示はここで参照として組み込まれている。
（A）１９９３年３月２日にNayak等に対して発行され、MECHANISMS FOR A CLOSED LOOP HEAD POSITIONER FOR STREAMING TAPE DRIVESと題される米国特許第５，１９１，４９２号［代理人整理番号ＣＯＮＮ８３７３ＣＯＮ１〕
3.  関連技術の記載
磁気テープのマルチトラック上に情報を高密度で記録することは周知である。平行なトラックは、長く延びる磁気テープの長手方向に略沿って延びると定義される。磁気ヘッドは、テープ表面を横切る、横方向に移動して、ヘッドの読出及び／又は書込ギャップが、記録又はプレイバックに先立って所望のトラックと近接される。記録又はプレイバックセッション中、テープが長手方向を移動して、読出／書込ギャップを通過する間、ヘッドはトラック上に在ることが期待される。
ヘッドの読出／書込ギャップの所望のトラックに対する正確な位置決めは、重要である。二つの基本的な種類のヘッド位置決め、開ループ及び閉ループがヘッドをトラックに位置整合するために使用される。
開ループ位置決め装置は、典型的には、トラックに対しヘッドを一度で設置するために使用され、比較的低いトラック密度を有するテープシステムで共通して見られるものである。磁気ヘッドはリードスクリュー上に乗っている。ステップモータはこのリードスクリューを回転し、このリードスクリューはモータの回転運動をヘッドの直線的な運動に変換する。ステップモータは、次の読出又は書込の先立って、所定の角度進まされて、ヘッドが或るトラックからシフトされる。ヘッドは読出／書込セッション中固定された位置に留まる。テープが移動し、且つ情報がトラックから読み出され、又はトラックに記録される間、位置整合誤差（ズレ）を修正する対策は無い。
閉ループ位置決め装置は、典型的には、比較的高いトラック密度及び高い記録／読出速度を有するマルチトラックテープに対して使用される。テープは、それが所望の長手方向に進行する時、横方向に不都合にふらふら動く。これは、ヘッドとトラックとの間に不所望の位置不整合を生じる。トラックが互いに極めて近くに近接していると、この横方向のふらつきは、トラック外れ状態を発生するのに十分な場合がある。この問題を解決するために、サーボ信号が、テープ上に事前記録され、各トラックの位置が印される。閉ループサーボシステムは、所望のトラックのサーボ信号を探索している間、ヘッドを横方向に移動し、これによってヘッドを所望のトラックと精密に位置整合する。フィードバックは、トラックからの情報の読出又は書込中に、サーボ信号を用い連続的に位置整合を維持するのに使用される。
開ループの粗調位置決め装置及び閉ループの微調位置決め装置の組合せが、高密度マルチトラックテープに対して磁気ヘッドを位置決めするために提案されている。上述の米国特許５，１９１，４９２号は、この様な組合せを開示している。ボイスコイルが閉ループの微調位置決めを達成するために磁気ヘッドに取り付けられており、ヘッド及びボイスコイルアッセンブリが、ステップモータによって駆動され且つ粗調位置決めを達成するリードスクリュー上に乗っている。
開ループ粗調位置決め装置及び閉ループ微調位置決め装置はこの様に組合せは、以下の様な欠点を被っている。数多くの部品が、粗調及び微調位置決めサブシステムを個別に構成するためにも、また２つのサブシステムを一緒に結合するためにも必要とされる。この様な組合せに対する製造コストは、個々の部品の加算的コスト及びそれら多くの部品を組み合わせるのに含まれる作業により、高くなる。粗調及び微調位置決めサブシステムの結合サイズは、不都合にも大きくなる傾向がある。開ループ及び閉ループサーボ電子回路を一体化することは複雑であり、安定性の問題を引き起こす。トラック切換時間及び／又はトラック切換電力消費は、粗調及び微調位置決めサブシステムの結合された質量のために、大きなものとなる傾向にある。
発明の要約
本発明は、単一ボイスコイルを使用することにより、上述の問題を解決し、マルチトラックテープのトラックに対する磁気ヘッドの粗調及び微調位置決めの両方を達成する。
小質量のボイスコイルが、移動可能なキャリッジに取り付けられる。磁気ヘッドが、移動可能なキャリッジに同様に取り付けられる。キャリッジは、低摩擦、移動案内機構によって、精密な移動路に沿って案内される。ボイスコイル位置決めサブシステムが、ボイスコイルを所望の公称トラック位置に移動し、この後キャリッジで支持されるヘッドをトラックにサーボ信号で連続的に整合するために提供されている。位置決めサブシステムの或る実施の形態は、ＬＶＤＴ位置検出器を使用して、ヘッドを公称トラック位置に整合する。他の形態は一対の対向するホール効果トランスジューサを使用し、ヘッドを公称トラック位置に位置決めする。ＬＶＤＴ又はホール効果位置検出器は、ボイスコイルが移動する円筒通路を決める円筒領域内に設置される。この構成は、コンパクトなボイスコイルに基づく位置決めシステムを提供する。
本発明に従う構造は、(a)キャリッジの一方の端に磁気ヘッドを、そしてキャリッジの第２の端にボイスコイルを支持する移動可能なキャリッジ、(b)テープ面に対して平行且つ横方向に走る精密案内移動路に沿って、移動可能なキャリッジを案内するレール、(c)基準に対するキャリッジの位置を検出するキャリッジ位置検出手段、(d)ボイスコイル通過する静止磁束磁界を発生するためのステータアッセンブリ、(e)ボイスコイルを通過する電流を駆動し、これによってボイスコイル及び取り付けられたヘッドを所望の位置に推進するボイスコイル駆動機構であり、ヘッドを所定の公称トラック位置に移動するための公称トラック位置決め装置サブシステム及び所望のトラックのサーボ信号を使用して微調整位置にヘッドを移動するための閉ループサーボシステムを含むボイスコイル駆動機構から成る。
本発明に従う方法は、(a)磁気ステータ構造に往復移動可能に設置されたボイスコイルを提供し、ボイスコイルを通過する電流を加えるのに応答してステータ構造に対してボイスコイルが移動し、(b)ステータ構造に対してボイスコイルの移動を測定するプログラム校正手段を提供し、この校正手段の出力がプログラム可能なテーブルルックアップ手段によって決められ、(c)精密測定手段を取り外し可能にボイスコイルに取り付け、ステータ構造に対してボイスコイルの位置を精密に測定し、(d)ボイスコイルに電流を加え、前記精密測定手段によって決められる精密位置にボイスコイルを移動し、(e)プログラム可能なテーブルルックアップ手段をプログラムして、前記電流がボイスコイルに加えられている間、前記位置を表す信号を出力するステップを有する。
【図面の簡単な説明】
以下の詳細な説明は添付図面を参照する。
図１は、本発明に従うボイスコイル駆動位置決め装置の断面図、及び付随の制御電子回路の図、
図２は、図１の実施の態様のボイスコイル駆動位置決め装置を、除去可能なテープカートリッジと係合して示す頂部平面図、
図３は、スプリング負荷された、移動可能な案内コイルの側面図、
図４Ａは、ホール効果位置決め検出器を含むボイスコイル駆動位置決め装置を示す断面図、
図４Ｂは、光学位置検出を含むボイスコイル駆動位置決め装置を示す断面図、
図５Ａは、キャリッジ案内手段に対する代替の実施の形態を示す頂部平面図、
図５Ｂは、図５Ａに示されるキャリッジスライド機構の詳細を示す頂部断面図。
詳細な説明
図１を参照する。本発明に従うボイスコイル駆動ヘッド位置決めシステム１００が示されている。この断面図は縮尺によるものでは無いことが理解されるべきである。“Ｘ”軸は、図１の左から右に水平に延びている。“Ｚ”軸は底から頂部に水平に延びている。“Ｙ”軸は、Ｘ及びＺ軸によって決まる平面から垂直に延びていることが理解される。
ヘッド位置決めシステム１００は、ダイキャストフレーム１１０上に形成されている。フレーム１１０は、非磁性、剛体、且つ熱的に安定な材料、より好ましくは、アルミニュウム合金３８０の様な金属合金から形成されるのが好ましい。フレーム１１０は、比較的フラットな支持フレームを、ステータアッセンブリ１２０を支持するために、自身の上に有している。面１１１はＸＹ平面に平行に延びている。（フレーム１１０の一部は図１から切り欠かれ、接続ワイヤ１５１及び１５２が示されている。）
フレーム１１０は、ステータ支持面１１１の第１の部分から垂直に突出しているダイキャスト位置整合用特徴部１１２を含んでいる。ガイドレール取付け穴１１３は、位置整合用特徴部１１２の右壁からＸ軸に沿って測定して所定の距離“Ａ”の位置で支持面１１１の第２の部分に垂直に掘られている。距離Ａは以下に記述されるステータアッセンブリ１２０の外方壁間寸法“Ｂ”よりも大きく、０．０００５インチ（１インチの２千分の１）又はそれ以上の精度を有している。
キャリッジ案内レール１３０は、剛体、好ましくはステンレススチールの様な非磁性材料から成り、案内レール取付けホール１１３に固着され、案内レール取付けホール１１３に軸が合わされている。固定案内レール１３０の材料は、０．０００２インチ又はそれ以上の精度で、０．１５６インチの外径を有する平滑な円柱シャフトを設定する様に、機械加工されるのが好ましい。
移動可能なキャリッジ１６０は、それから突出する６個の低摩擦ローラのホイール１６１−１６６を有しており、これらは、以下に説明される様に、固定案内レール１３０に係合し、且つこれに沿って動く。固定案内レール１３０の目的は、Ｚ方向に延びる精密移動路に沿って移動可能なキャリッジ１６０を案内することにある。６個の低摩擦のローラホイール１６１−１６６の目的は、固定案内レール１３０及び以下に記述されるスプリング付勢された移動可能な案内レール１３５に沿って、かなり低い摩擦を有して動くための低摩擦手段として機能することにある。これによって、ボイスコイルが移動可能なキャリッジ１６０を推進する時以下に記述されるボイスコイル１４０上に加わる対応する摩擦が最小にされる。
ステータアッセンブリ１２０は、ステータ支持面１１１上及び位置整合用特徴部１１２の右壁に接触して設置されており、固定案内レール１３０の位置に対して精密に位置される様にされる。ステータアッセンブリ１２０は、前に説明した様に、距離Ａよりも短く、機械加工された外方壁間の寸法Ｂを有している。外方壁間の寸法Ｂは、０．０００５インチ又はより良い精度で機械加工され、寸法差Ａ−Ｂは０．００１インチ又はより良い精度を有している。
ステータアッセンブリ１２０は、好ましくは対称の管状形状を有しており、より好ましくは中央が貫通したと定義される同軸筒状穴（１２２）を有する円筒形状を有している。（別の実施の形態において、ステータアッセンブリ１２０のＸＹ断面が、丸められた角を有する矩形形状を有している。図示せず）ステータアッセッブリ１２０の外方面１２１は、１．０００インチのＯ．Ｄ．（外部径）を有しているのが好ましい。ステータアッセンブリ１２０の内部構成部品は、ステータ外方面１２１に対して対称に設置されており、０．００１インチ又はより良い許容誤差で、ステータ外方面１２１に位置されている。
一次コイル１２３ａ及び２つの二次コイル１２３ｂから構成されるＬＶＤＴコイルは、ステータアッセンブリ１２０の中央に、固定されている。芯部通路１２２は、ＬＶＤＴ芯片１２３ｄがそれを通して自由に移動することを可能にするために、Ｚ方向に、ＬＶＤＴコイルアッセンブリ１２３の中央を通して延びている。ＬＶＤＴコイルの動作が以下に記述される。今から、ＬＶＤＴコイルアッセンブリ１２３は、一次及び二次ＬＶＤＴコイル１２３ａ−１２３ｃに対してのＬＶＤＴ芯片１２３ｄのＺ軸に沿った位置を測定するために使用される、中央に位置する位置測定手段を構成することが十分に理解されるべきである。ＬＶＤＴ芯片１２３ｄ及び以下に記述される芯支持台座１６７ａの組合せが、小質量の“ディップスティック（計量棒）”を構成する。これは、以下に記述されるボイスコイル１４０のステータアッセンブリ１２０の磁気ギャップ１２５内での往復移動と一致して芯通路１２２内で往復移動する。
内方極片１２４は、ＬＶＤＴコイルアッセンブリ１２３の外部を囲んで、これに固着されている。内方極片１２４はスチールと同様な磁気的に導電性の材料から出来ている。極片１２４は、以下に記述される永久磁石１２６の組によって作り出された磁束を導くのに使用される。適当なエポキシ接着剤がＬＶＤＴコイルアッセンブリ１２３の外側面を内方極片１２４の内側面に接着するのに使用することが出来る。また、ＬＶＤＴコイルアッセンブリ１２３は、内方極片１２４の円柱穴に圧入嵌合することが出来る。内方極方１２４は好ましくは一片の管状構造である。
ＬＶＤＴコイルアッセンブリ１２３は、ＬＶＤＴコイル１２３によって発生された磁束を保持するための自身の磁気ハウジングを含む。このハウジング構造は、内方極片１２４の内径に対して、単一点でハウジングを取り付けるための接着又は圧力嵌合のために、０．００５インチ厚の、ＬＶＤＴハウジングの外側面の略中間部で中央に位置する小さな接着スペーサ（図示せず）を含んでいる。Loctite Blackmax 380TMを、接続スペーサを内方極片１２４に接着剤により取り付けるために使用することが出来る。０．００５インチ（図示せず）のギャップが、ＬＶＤＴコイルアッセンブリ１２３の外方面の残りと、極片１２４の内径との間に形成され、ＬＶＤＴアッセンブリ１２３の残りが、温度が変化した時に中央に位置する接続スペーサの上と下で等しく自由に延びる様にしている。
ＬＶＤＴコイルアッセンブリ１２３が円筒の形状である好適な場合において、ＬＶＤＴコイルアッセンブリ１２３は０．１６０インチの内径及び０．３００インチのＯ．Ｄ．を有しており、内方極片１２４は０．３１０インチのＩ．Ｄ．及び０．５５０インチのＯ．Ｄ．を有している。
外方極片１２７は、好ましくは内方極片１２４と同じ透磁性（スチール）材料から作られており、内方極片１２４を囲んで、これと接続している。外方極片１２７の断面は、２つのＬ字が並んでいる様である。左側のＬ字は通常の向きであり、右側のＬ字は、鏡映像の向きである。順及び鏡映像のベース脚（１２７ａ）は、圧力嵌合（０．０００５インチの締めしろ嵌合）によるか、又は適当な接続材料を用いての接続の何れかによって、内方極片１２４の外面に、結合される。外方極片１２７は好ましくは一片の管状構造である。内及び外方極片１２４及び１２７を、別々の鋳物片として各々形成し、次いで一体化することが出来るし、これとは異なって、連続した単一片として一緒に鋳造ることも出来る。
内方極片１２４及び外方極片１２７の組合せが、ＸＺ面において、２つの間隔が開いたＵ字状透磁性体（即ちヨーク）を定めており、この中を、直ぐ後に記載される永久磁石１２６の組の磁束１２６ａが流れる。内方磁極１２４が円筒形状である好適な場合において、外方極片１２７の外円筒部分が、０．９００インチの内径（Ｉ．Ｄ．）及び１．０００インチのＯ．Ｄ．（後者は寸法Ｂ）を有しており、外方極片１２７のベース１２７ａは０．１００インチの厚さを有している。
永久磁石１２６の組は、外方極片１２７の上部内壁に接続されている。永久磁石１２６は、それらのＮ磁極が、外方磁片１２７の内壁に直に対面しており、それらのＳ磁極が、ステータアッセンブリ１２０の中央に向かって内方に向いている。外方極片１２７が円筒形状ある好ましい場合において、永久磁石１２６は、外方極片１２７の内壁に取り付けられた円弧状の複数のセグメントとして与えられる。一例として、永久磁石１２６は、複数の４つの９０°の円弧状セグメント又は６つの弧状のセグメントとして与えることが出来る。永久磁石１２６に対する好適な材料は、ネオジウム（Neodymium）又は同様な高磁力材料である。磁力線１２６ａは、Ｓ極から内方磁極片１２４の外壁へ半径方向且つ均一に流れる。
永久磁石１２６は、外及び内方極片１２７及び１２４の頂部端より下の小さな距離Ｃ（例えば、０．２００インチ）に好ましくは位置されており、周辺のＳからＮのへの磁束の流れが、外方磁極１２７の頂部端によって捕らえられ、そして永久磁石１２６のＮ極に戻される。外方磁極の出っ張っている頂部端は、直ぐ後に記載されるボイスコイル１４０の周辺磁束を、後で記述される磁気ヘッド１７０から離れてる様に向けるのにも使用される。
リミットスイッチ１２８／１４８の一部として機能する小さな永久磁石１２８は、その磁石１２８のＮ極がＺ方向で上を向いて、ステータの外方面１２１の頂部に位置している。コップ半分状の磁気シールド１２９は、基準磁石１２８の対向するＳ極の部分を囲み且つ支持する。磁気シールド１２９は、小さな磁石の磁束をシステムの磁気ヘッド１７０から離れる様に向ける。
外方極片１２７の厚さ及び材料は、永久磁石１２６（及び小さい基準磁石１２８）の強度に関係して選択され、外方極片１２７の磁気飽和を防止するべきであり、これによって、周辺の磁束が片１２７によって捕らえられ、そしてヘッド１７０を離れることが保証されるべきである。図示されないが、適当なμシールドを、迷走磁場から読出／書込ギャップをシールドするために、ヘッド１７０の回りに設置することが出来る。実際には、磁気ヘッド１７０と、ボイスコイルモータ１２０／１４０又は基準磁石１２８の様な迷走磁束源との間の距離は、しばしば、迷走磁場強度を許容レベル（例えば、５ガウス）に迄減少するのに十分大きい、ことが理解される。この様な場合においては、μシールドは必要ない。
磁気ギャップ１２５は、永久磁石１２６の内方向いているＳ極と、内方極片１２４の上方の外方壁との間と定義される。磁気ギャップ１２５は、以下に記述されるボイスコイル１４０がＺ方向でギャップを通して移動するためのクリアランスを与える寸法とされている。ボイスコイル１４０について、０．０１０”又はそれ以上の公称のクリアランス１２５ａが、ＸＹ平面の全ての方向においてあることが、好ましい。
内方又は外方極片１２４及び１２７が両方とも円筒形状であり且つ同軸である好適な場合において、各永久磁石１２６は、ＸＹ平面で０．０６０の厚さを有しており、永久磁石１２６の組の内径（Ｉ．Ｄ．）を、０．７８０インチに決めている。ボイスコイルは約０．０７５インチの厚さを有している。（ボイスコイル１４０の断面の厚さは、磁気ギャップ１２５の半径方向幅から公称クリアランス１２５ａの２倍を減じたものに等しい。）外方極片１２７は１．００のインチのＯ．Ｄ．と０．９０インチのＩ．Ｄ．とを有しているが、内方極片１２４が０．５５０インチを有しているので、公称クリアランス寸法１２５ａは、ボイスコイル１４０の内方及び外方壁の各々に付いて約０．０２０インチと、計算される。
磁気ギャップ１２５の境界とボイスコイル１４０の境界との間の公称クリアランス１２５ａは、ステータアッセンブリ１２０に対する、ボイスコイル１４０及び以下に記述される芯支持台座１６７ａの位置の寸法偏差を吸収するために使用される。この寸法偏差は、限定するわけでは無いが、直ぐ後で記述される左側キャリッジ梁１６７の様なキャリッジ１６０の一部の熱膨張、外方極片１２７のＯ．Ｄ．の機械加工誤差、アライメント特徴部１１２に関係して案内レール取付け穴１１３を設置する際の誤差、及び固定案内レール１３０の機械加工又は取付け誤差を含む、多数の原因から生じ得る。
所望の場合、位置整合穴１２０ｂを有するベース突出部１２０ａを、ステータアッセンブリ１２０の外部ベース位置に与えることができ、これにより、ステータアッセンブリ１２０を、ステータアッセンブリ１２０が支持フレーム１１０に固設される時に、案内レール１３０に対して、ステータアッセンブリ１２０を位置合わせすることが出来る。この様な場合において、位置整合特徴部１１２を省くことも出来るし、又、これを粗い位置合わせのためのみにも使用出来る。しかしながら、好適な実施の形態においては、位置整合特徴部１１２は、一度で、固定案内レール１３０に対して、ステータアッセンブリ１２０を高精度で位置合わせするために使用され、エポキシ接着剤が、外方極片１２７の下に均一な厚さで堆積されて、ステータアッセンブリ１２０が、支持面１１１に固定される。後者の方法は、製造コストを減少する。勿論、他の均等物的な固定手段がステータアッセンブリ１２０をフレーム１１０に固着するのに使用出来る。
ボイスコイル１４０は磁気ギャップ１２５の磁束線１２６ａを横切り、上方又は下方に向いた力Ｆが、対応する正又は負の極性の電流ＩCがボイスコイル１４０を流れる時に、ボイスコイル１４０に対して誘起される。ボイスコイル１４０は、管状の形状であり且つ内部空胴１４０ａを有しており、ボイスコイル１４０のボディが内方極片１２４の外方境界に沿って、自由に往復運動することを可能としている。ボイスコイル１４０は、キャリッジ１６０の左側キャリッジ梁１６７の底に取り付いていて、これによって、ボイスコイル１４０を通過する電流ＩCの強度及び極性に従ってキャリッジ１６０を上方又は下方に推進する。コイル１４０の電気的両端部１４０が、互いに短絡され、これら端部を横切る電圧がゼロに維持される場合は、良く知られる制動効果が生じる。
キャリッジ１６０が、アルミニュウムの様な非磁性の剛体の、好ましくは、小質量の材料で作られている。キャリッジは、キャリッジ中央片１６８（これから前述されたホイール１６１−１６６が突出している）、キャリッジ中央片１６８の左側の頂部から一体的に延びる左側キャリッジ梁１６７、及びキャリッジ中央片１６８の反対の右側の底から一体的に延びる右側キャリッジ梁１６９を含む。左側及び右側キャリッジ梁１６７及び１６９は、中央位置１６８が、キャリッジ１６０の重心を決め、等しい質量が左ローラホイール１６１、１６３、１６５及び対置した右ローラホイール１６２、１６４、１６６に加わる。釣合いが取られた負荷質量は、磁気ヘッド１７０の質量及びボイスコイル１４０の質量とＬＶＤＴコア片１２３ｄを含む。対抗する左及び右質量のモーメントが釣り合わせられることが好ましい。
図１に示される様に、磁気ヘッド１７０が右側キャリッジ梁１６９の頂部表面に取り付けられることが都合が良い。テープ１９０の低摩擦記録面１９１が、磁気ヘッド１７０の平行な読出／書込面１７１に支持される様に、磁気テープ１９０を含む取り外し可能なテープカートリッジ１８０が、フレーム１１０と係合される。テープカートリッジ８０はヘッド位置決めシステム１００のフレーム１１０と整列され、フレーム１１０のステータ支持表面１１１に対して略垂直な方向であり且つ固定案内レール１３０に対して一般的に平行な方向で、テープ記録面１９１を保持する様にする。テープ１９０が、略Ｙ方向に延びており、且つ図示されていない供給及び巻取リールに巻き取られるために湾曲する。テープはヘッド１７０の読出／書込面１７１と接触するためにも湾曲する。
読出／書込面１７１は、対向して配置された２つ以上の読出ギャップ及び２つ以上の書込ギャップを好ましくは有しており、テープ１９０が前方向又は後方向に移動する時、所定のトラック上で書込みと同時の読出しを可能とする。
磁気ヘッド１７０がＺ方向に沿って上方又は下方に移動する時、ヘッドの読出／書込面１７１とテープ記録面との係合が維持される。磁気ヘッド１７０が移動して、前−後の読出／書込ギャップ対（Ｒ）Ｗ又はＲ（Ｗ）の所望の一つが、テープの記録面１９１上に決められる複数のトラック１９２の所望のものと位置が整合される様にされる。図示されていないが、サーボ信号がテープの記録面１９１に予め記録されて、複数のトラック１９２の位置が決められる。
固定された案内レール１３０がキャリッジ１６０の自由度を制限するのに使用され、これによって精密移動路が決められ、ボイスコイル１４０がキャリッジ１６０を上方及び下方に推進する時に、磁気ヘッド１７０がこの精密移動路に沿って移動する。４つの低摩擦ローラホイール１６１−１６４はキャリッジ中央片１６８の正面側に回転可能に取り付けられ、且つ固定案内レール１３０の背面に最小の力を有して、安定して乗る様に配向されている。（図２の頂部平面図を見よ）
図１に示される様に、第１及び第２のローラホイール１６１及び１６２は、キャリッジ中央片１６８のより低い位置に位置しており、第３及び第４のローラホイール１６３及び１６４がキャリッジ中央片１６８の上方位置において、中央で対称に位置されており、固定された案内レール１３０の背面と平行且つ安定して位置整合してキャリッジ中央片１６８を保持する様にしている。右側キャリッジ梁１６９は、キャリッジ中央片１６８の底から半径方向に延びており、キャリッジ中央片１６８の移動路に平行なヘッド読出／書込面１７１を保持する様にする。左側キャリッジ梁１６７は、キャリッジ中央片１６８の頂部から半径方向に延びており、キャリッジ中央片１６８の移動路に平行なボイスコイル１４０の中央軸を保持する様にする。
第５及び第６番目のローラホイール１６５及び１６６は、キャリッジ中央片１６８の背面上に回転可能に取り付けられており且つスプリング付勢された移動可能な案内レール１３５に低摩擦で安定して乗る様に配向されている（図２及び３に示される）。第５及び第６番目のローラホイール１６５及び１６６は、より低いホイール１６１−１６２とより高いホイール１６３−１６４との間で対称に位置されて、図２に示されるスプリング付勢された移動可能な案内レール１３５からの付勢力Ｇ（図２）の等しい成分が第５及び第６番目ローラホイール１６５及び１６６に加えられる様にする。
ローラホイール１６１−１６６は、chatsworth, CaliforniaのNMBコーポレーションから入手可能な０．１５６のＯ．Ｄ．型の様な低摩擦ベアリングの形態の全て等しいものとすることが好ましい。
図２を参照する。図１の断面図を有する好適な実施の形態１００’の頂部平面図が示されている。図１と類似する図２の要素を参照するのに類似の参照番号が使用されているが、図１の断面図に関して他の異なる頂部図の実施の形態が可能であることが理解されるべきである。
図２において、Ｘ軸は円筒ステータアッセンブリ１２０の軸中心から、固定案内レール１３０の軸中心に至りこれを通過する。テープ１９０はＸ方向に対してて略５０°反時計回りした方向で延びている。テープカートリッジ１８０のカートリッジカバー１８５は、テープの記録面１９１を露出する様に開放している。この開放された記録面１９１は、テープカートリッジ１８０が記録機構に挿入される時、磁気ヘッド１７０の読出／書込面１７１に乗る様にされる。
キャリッジ中央片１６８が図示される様に、面取りされた角を有する矩形の頂部断面を有する。この矩形形状の延びた中心軸は、Ｘ軸に直角なＹ方向に延びる。ピンがキャリッジ中央片１６８の面取りされた角に圧入嵌合されて、ローラホイール１６１−１６６を支持する。ローラホイール１６１−１６４は、固定の案内レール１３０の背面と接線接触し、ローラホイール１６５−１６６がスプリング付勢された、移動可能な案内レール１３５の前面と接線接触する。移動可能な案内レール１３５は固定案内レール１３０と同じＯ．Ｄ．を有しており、且つピボットアーム１３６上に垂直に取り付けられている。ピボットアーム１３６は、ピボットシャフト１３７の周りをピボット運動し、移動可能な案内レール１３５をローラホイール１６５−１６６と係合する様にする。スプリング付勢された移動可能な案内レール１３５の軸（Ｚ方向軸）が０．００１”又はより良い精度で、キャリッジ中央片１６８の延びた中央軸に略位置が合う。これによって、キャリッジ１６０の向きは、スプリング付勢された、移動可能な案内レール１３５によって与えられる付勢力Ｇを使用して、図２のｘｙ平面内に設定される。
図３は、付勢力Ｇを移動可能な案内レール１３５に加えるための、好適なスプリング負荷機構をの側断面図を示す。ピボットシャフト１３７は、固定案内レール取付け穴１１３に関して所定の位置に在るフレーム１１０の穴１１７に圧入嵌合されている。位置精度は、０．００１”内又はより良い精度であるべきである。２つの実質的に等しい螺旋スプリング１４１及び１４２は、ピボットシャフト１３７に付いて鏡像の向きで位置している。スプリング１４１−１４２は、図示される様に、対応するスプリング端によって、付勢力Ｇを移動可能な案内レール１３５の中央に加える。スプリング１４１−１４２の他方の端は、スプリング止めポスト１３９の対応する頂部及び中央位置で、止まる。スプリング止めポスト１３９は、フレーム１１０の通し穴１１９に垂直に取り付けられる。
ピボットアーム１３６は、ピボットシャフト１３７の頂部位置にピボット運動可能な様に取り付けられており、付勢スプリング１４１及び１４２の頂部に置かれている。実質的に同じで、より低いピボットアーム１３８が、付勢スプリング１４１及び１４２の下のピボットシャフト１３７のより低い位置にピボット運動可能に取り付けられており、支持ブッシュ１４３の頂部に置かれている。スプリング付勢された、移動可能なピボットアーム１３５は、ピボットアーム１３６の先端部とより低いピボットアーム１３８の先端部との間で支持され、その上に、２つのローラホイール１６５−１６６に対して、全移動距離Ｄを与える。この移動距離Ｄは、磁気ヘッド１７０の読出／書込ギャップがそのＺ方向の移動が、テープの記録面１９１のより低い面から始まり、テープ記録面１９１の全横方向の広がりをカバーする様に、十分に大きく且つ適当に位置されるべきである。
図２を再び参照する。磁気ヘッド１７０は、テープ１９０と同じに、軸Ｘに対して約５０°の角度で、キャリッジ１６０上に取り付けられ、ヘッド読出／書込面１７１がテープ表面１９１と比較的沿って係合する様にする。自由に浮動するキャリッジ１６０が加わることのある過剰なショックは、スプリング付勢されたピボットアーム１３６が、その公称位置から外れて回転することによって吸収される。スプリングによって与えられる負荷の力Ｇは、通常のショック及び振動に対して、移動可能な案内レール１３５をその公称位置内に保持する様に設定される。
図２の位置整合特徴部１１２は、好ましくは、図２に示される半円筒形を有している。組み立て中は、スプリング付勢された、移動可能な案内レール１３５は、キャリッジ中央片１６８が占有している領域から離れて、引き込まれる。ステータアッセンブリ１２０及びキャリッジ１６０の組合せは、ステータの外方表面１２１を位置整合特徴部１１２に付き当て、且つ４つのローラホイール１６１−１６４を固定ガイドレール１３０に付き当てることによって位置決めされる。移動可能なガイドレール１３５が解き放されると、ローラホイール１６５−１６６と係合する。固定案内レール１３０に沿って自由に上下移行するためのキャリッジ１６０の能力が、ステータアッセンブリ１２０をフレーム１１０の組に結合する接着以前に、試験される。
図１を再び参照する。ＬＶＤＴコイルアッセンブリ１２３の動作が、ここで詳細に説明される。
読出／書込ギャップ（（Ｗ）Ｒ又はＲ（Ｗ））を所望のトラックのサーボ信号と位置合わせする際の第１ステップは、所望のトラックと粗く位置が合う公称トラック位置に、開ループ法で、読出／書込ギャップを移動することにある。
励振ＡＣ信号１５１が、ＬＶＤＴ制御モジュール１５０から、ＬＶＤＴコイルアッセンブリ１２３の一次コイル１２３ａに加えられる。ＬＶＤＴコイル片１２３ｄは、励振ＡＣ信号を二次コイル１２３ｂ及び１２３ｃに結合する。二次コイル１２３ｂ及び１２３ｃの各々に結合される励振エネルギーの強度は、二次コイル１２３ｂ及び１２３ｃの各々に関係するＬＶＤＴコア片１２３ｄの位置と共に変化する。
二次コイル１２３ｂ及び１２３ｃは、ＬＶＤＴコア片１２３ｄが二次コイル１２３ｂ及び１２３ｃに関して中央に位置される時、零の、二次出力信号１５２を発生する様に、１８０°の位相関係で直列接続される。二次出力信号１５２の強度は、ＬＶＤＴコア片１２３ｄが、中央位置から離れて、上方又は下方に移動する時、略線形に変化する。二次出力信号１５２の極性は、ＬＶＤＴコア片１２３ｄが中央位置の上方又は下方の何れに移動したかを示す。
ＬＶＤＴ制御モジュール１５０は、二次コイル１２３ｂ及び１２３ｃに対するＬＶＤＴコア片１２３ｄの位置を表すアナログＤＣ電圧ＶPを出力する。ＬＶＤＴトランスデューサシステムとそのより詳細な記述は、New Jersey, PennsaukenのLucas Schaevitz社から得ることができる。
第１のアナログ−デジタル変換器（ＡＤＣ）１５３は、ＬＶＤＴ制御モジュール１５０のアナログ出力電圧ＶPを第１のインデックス信号１５５ａに変換する。この第１のデジタルインデックス信号１５５ａは、ルックアップテーブルモジュール１５５に供給されるルックアップアドレス信号の一部又は全てとして機能する。
ルックアップテーブルモジュール１５５は、以下に記述される校正法に従って、プログラムされたプログラム可能な読出専用メモリであり、デジタルヘッド位置指示信号１５６を発生している。ヘッド位置指示信号１５６は、２進コード化されており、フレーム１１０に対する磁気ヘッド１７０の位置を所望の精度で表している。他の同様の変換手段が、第１のデジタルインデックス信号１５５ａ（直ぐ後で記述される第２のデジタルインデックス信号１５５ｂが、任意選択的に組み合わされる）をヘッド位置を表す信号１５６のコードに変換するために使用することが出来ることは当然理解されるべきである。
ヘッド位置指示信号１５６は、ボイスコイル駆動モジュール１５９の第１の入力に供給される。ボイスコイル駆動モジュール１５９は、所望の、公称トラック位置を表している外部供給されたデジタルコード信号１５７を受信する第２の入力を有する。ボイスコイル駆動モジュール１５９のフィードバック回路（図示せず）は、ボイスコイル電流をＩCをボイスコイルに出力し、ヘッド位置指示信号１５６によって表される位置を、公称トラック位置信号１５７によって表される所望のトラックヘッド位置に収束する様にする。
ボイスコイル駆動モジュール１５９は磁気ヘッド１７０の作動読出ギャップ（（Ｒ）又はＲ）によって読み取られるトラックサーボ信号１５８を受信する第３の入力を有する。ボイスコイル駆動モジュール１５９の第４の入力は、リミットスイッチ１２８／１４８の以下に記述されるホール効果検出器１４８からのリミット指示信号１４９を受信する。
ボイスコイル駆動モジュール１５９のフィードバック回路（図示せず）は、ヘッド位置指示信号１５６と公称トラック位置信号１５７との間の誤差が、所定の許容可能な小レベルに減少する迄、活動状態に留まる。次に、ボイス駆動モジュール１５９の閉ループサーボ回路（図示せず）が制御を始める。この閉ループサーボ回路は、受信されたサーボ信号１５８に応答して、ボイスコイル電流ＩCを調整して、ヘッド１７０を所望のトラックと精密に位置合わせし、現在のトラックが所望のトラックであることが続く限り、この様な位置整合が連続して維持される。新たなトラックへの切り換わりが要求される時、対応する新たな公称トラック位置信号１５７が供給され、且つボイスコイル駆動モジュール１５９のフィードバック回路（図示せず）が再作動される。テープがそれに記録されたトラック中心位置決めサーボ信号を有してい無い場合は、ボイスコイル駆動モジュール１５９の閉ループサーボ回路（図示せず）は活動されず、ボイスコイル駆動モジュール１５９のフィードバック回路（図示せず）は、活動状態に留まり、ヘッド信号位置指示信号１５６及び公称トラック位置信号１５７との間の誤差を最小にする。
キャリッジ１６０、特に、芯支持台座１６７ａを形成する材料の熱膨張は、極めて近接して隣接するトラックに対して開ループ位置決めが望まれる時、或る問題を生じる。サーミスタ１４６又は同様の温度センサが、左側キャリッジ梁１６７の頂部、好ましくは、芯支持台座１６７ａに近接して形成される空胴１６７ｃ内に設置される。サーミスタ１４６は一般的にヘッド位置システム１００の温度を、より特定的には、芯支持台座１６７ａの温度を検出するために使用される。空胴１６７ｃの温度を表すアナログ温度ＶTが、サーミスタ１４６に発生し、これは、細いワイヤー１４７によってキャリッジ１６０の頂部を渡ってキャリッジ中央片１６８から延びるフレキシブルケーブル１４５迄送られる。フレキシブルケーブル１４５は、キャリッジ中央片１６８の頂部の電子端子を、フレーム１１０上に取り付けられた１５９及び１５４の様な電子的制御モジュールに、フレキシブルに、接続する。１５９、１５４の様な電子制御モジュールは、好ましくは、フレーム１１０に取り付けられ、移動可能なキャリッジ１６０及びそれに支持される素子、例えば、１４０及び１７０の質量を最小にする様にする。フレキシブルケーブル１４５は十分にフレキシブルであり、キャリッジ１６０を移動する力を無視出来るものにすべきである。
アナログサーミスタ電圧ＶTは、フレキシブルケーブル１４５によって、第２のアナログ−デジタル変換器（ＡＤＣ）１５４に結合する。この第２のアナログ−デジタル変換器（ＡＤＣ）１５４は、ＶTを第２のデジタルインデックス信号１５５ｂに変換する。この第２のデジタルインデックス信号１５５ｂは、第１のデジタルインデックス信号１５５ａと任意選択的に接合され、ルックアップテーブル１５５に加えられるアドレス入力信号を決める。温度補償が望まれない場合は、第２のデジタルインデックス信号１５５ｂはゼロに固定され、サーミスタ１４６はシステムに含まれ無い。
フレキシブルケーブル１４５はまたボイスコイルからのボイスコイル電流ＩCをボイスコイル１４０の端子ワイヤー１４４に送る。貫通穴１６７ｂが、キャリッジ１６０内に与えられており、ボイスコイル端子ワイヤ１４４を梁１６７の下部のからその頂部に通過するために、左側キャリッジ梁１６７の底部と頂部とを連絡している。ワイヤ１４４は、梁１６７の頂部上を、キャリッジ中心片１６８の頂部でフレキシブルケーブル１４５に設けられた接続点まで延びている。
フレキシブルケーブル１４５は更に、上述されたリミットスイッチ１２８／１４８のホール効果検出器１４８から基準位置信号１４９（リミット指示信号１４９としても参照される）をボイスコイル駆動モジュール１５９の第４の入力に送る。ホール効果検出器１４８は、左側キャリッジ梁１６７の空胴１６７ｄに位置しており、ステータの外側面１２１上に与えられている小さな基準磁石１２８上に垂直方向で位置整合している。左側のキャリッジ梁１６７の底がステータアッセンブリ１２０の頂部により近くなり、基準磁石の磁束密度が臨界的な強度に到達する時、ホール効果検出器１４８による基準位置信号１４９の出力は、論理的ローレベルを論理的ハイレベルに切り換わる。この基準位置信号１４９は、左側キャリッジ梁１６７が外方極片１２７の頂部に略衝突する、キャリッジ１６０のリミット位置を指示している。リミット位置１４９のこの指示は、ボイスコイル駆動モジュール１５９に送られ、モジュール１５９によって使用されて、キャリッジ１６０がステータアッセンブリ１２０に衝突されることが避けられる。
ＵＧＮ３５０３TMは、リミット検出器１４８を実施するために使用することの出来るデジタルホール効果検出器の例である。ＵＧＮ３５０３TMは、一つのパッケージ内に、ホール効果素子、温度安定化された比較／増幅器及び所定量のヒステリシスを有するシュミットトリガ出力段が組み合わされた集積化回路である。ＵＧＮ３５０３TMはMassachusetts, WorcesterのAllegro Microsystemsから入手可能である。
ルックアップテーブル１５５の校正及びプログラミングは、ヘッド位置決めシステム１００の組立てが完成した後、以下の様に進められる。ヘッド位置決めシステム１００は、温度が安定化された環境に置かれ、温度は、作動温度の期待される範囲の複数の部分の内の第１のものに設定される。
干渉計の鏡（図示せず）又はより好適には、干渉計のプリズム（図示せず）を、移動可能なキャリッジ１６０に、除去可能に取り付けるために、基準プラットフォーム１７５が、右側キャリッジ梁１６９上に設置される。基準プラットフォーム１７５上に除去可能に留められた干渉計プリズム／鏡（図示せず）を含むレーザ干渉計システムが、磁気ヘッド１７０の位置をフレームに対して正確に測定するために使用される。この時、ルックアップテーブルモジュール１５５の出力は、ボイスコイル駆動モジュール１５９の第１の入力（１５６）から切り離される。しかしながら、ＬＶＤＴコイルアッセンブリ１２３は及びＬＶＤＴ制御モジュール１５０は、作動状態に留まる。
ボイスコイル駆動モジュール１５９の第２の入力の公称トラック位置信号１５７は、所望の公称トラック位置を指示する適当なレベル（アナログ又はデジタル）に設定される。ボイスコイル駆動モジュール１５９の切り離されている第１の入力（１５６）は次に（ルックアップテーブルモジュール１５５の出力からというよりも外部からの供給により）調節され、設定された温度での干渉計の測定に基づいて、磁気ヘッド１７０を所望の公称トラック位置にもたらすボイスコイル電流ＩCを発生する。
全公称トラック位置の組中の各公称トラック位置に対して、磁気ヘッドｌ７０の所望の位置決めを発生するボイスコイル駆動モジュール１５９の対応する入力（１５６）が、第１及び第２のデジタルインデックス信号１５５ａ及び１５５ｂによって後で示されるアドレス位置で、ルックアップテーブルモジュール１５５に書き込まれる。
データが第１の温度で全てのトラック位置に対して修正されるた後、温度は、作動温度の期待される範囲の複数の部分の内の他のものに設定され、上記校正プロセスが繰り返される。このステップは、作動温度の期待される範囲の複数の部分の全てのものに対して達成される迄、繰り返される。
校正が全ての公称トラック位置及び作動温度の期待される範囲の複数の部分の全てに対して完了した後、ルックアップモジュール１５５にまだ残っているエントリが、もしあれば、それらは、内挿によって満たされる。
このプロセスの詳細な記述は、GEAR DRIVE CARRIAGE AND STEPPER ADJUSTMENT SYSTEMと題される上述の米国特許出願０７／７９４，９９９号に見出すことが出来る。
一度内挿が完了すると、ルックアップテーブルモジュール１５５は、特定のヘッド位置決めシステム１００の第１及び第２のデジタルインデックス信号１５５ａ及び１５５ｂ（ＬＶＤＴ出力及びサーミスタ出力）の各与えられた組合せを、対応し且つ校正されたヘッド位置指示信号１５６に変換するための、カスタム翻訳アルゴリズムを記憶する。次に、ルックアップテーブルモジュール１５５の出力が、ボイスコイル駆動モジュール１５９の第１の入力（１５６）に再結合される時、ヘッド位置指示信号１５６は、実際のヘッド位置の校正された指示を与える。ボイスコイル駆動モジュール１５９のフィードバック回路（図示せず）が次に、ヘッド位置指示信号１５６によって示されるヘッド位置１７０を、公称トラック信号１５７によって要求される所望のヘッド位置に正確に収束させるボイスコイル電流ＩCを出力するのに使用することが出来る。
図４は、所望の公称トラック位置に対する磁気ヘッド１７０の位置を示す位置指示手段４２３の他の形態が、ステータアッセンブリ１２０’の管状の形状の空胴４２２内に与えられている別の実施の形態４００を示している。ヘッド位置決めシステムの全ての他の要素は、図１のものと実質的に同じであり、従って図示されない。“４００”番内の参照番号は、図１で“１００”番内の対応する番号を有している要素を示すのに使用される。
別の位置指示手段４２３は、空胴通路４２２の反対側の端部に取り付けられた一対のホール効果検出器４２３ａ及び４２３ｂから成る。ＬＤＶＴコイルアッセンブリ１２３と同様な、ホール効果に基づく位置指示手段４２３が、ボイスコイル１４０によって取られる管状通路の内部を充填する領域に設置される。この構成は、コンパクトなボイスコイルモータを集積化位置検出手段に与える。移動可能な、永久磁石４２３ｃは、空胴通路４２２内を上下に移動する。磁石のＳ極がＺ方向で上を向いており、Ｎ極が下を向いている。移動可能な永久磁石４２３ｃによって発生された磁場の検出強度は、磁石４２３ａがホール効果検出器４２３ａ及び４２３ｂの所定のものに近づくか又はこれから離れる時に、これに対応して増加又は減少する。各検出器内のホール効果素子間の電圧が磁場強度に略比例して変化する。ＵＧＮ３５０３TMが、線形ホール効果検出器の例であり、これは、ホール効果検出器４２３ａ及び４２３ｂを実現するために使用できる。ＵＧＮ３５０３TMは、一つのパッケージ内に、ホール効果素子、及び線形な、温度安定化された増幅器を組み合わせた集積化回路であり、Massachusetts, WorcesterのAllegor Microsystemから入手可能である。
アルミニュウムの様な非磁性材料から成るＬ型支持ブラケット４６７ａは、移動可能な永久磁石４２３ｃをキャリッジ１６０に結合し、磁石４２３ｃがキャリッジ１６０と共に移動する様にし、これによって、永久磁石４２３ｃの極からホール効果検出器４２３ａ及び４２３ｂに放射される磁場強度によって、キャリッジの位置を示す。サーミスタ１４６’が、支持ブラケット４６７ａの温度を測定するために使用され、支持ブラケット４６７ａの熱膨張を補償するためのルックアップテーブルモジュール１５５（図示せず）への入力として使用される。
磁石４２３ｃはネオジウム（Neodymium）の様な小質量、高磁場強度のものであり、移動可能なキャリッジ１６０の全質量が磁石４２３ｃの質量によって大きく増加され無い様にすべきである。内方極片１２４は、移動可能な永久磁石４２３ｃの磁束が磁石ヘッド１７０から離れて発散するための磁気シールドとして機能する。所望の場合、付加的なμシールド４２３ｄを、図示されるホール効果に基づく位置指示手段４２３に関して形成することができる。
ホール効果検出器４２３ａ及び４２３ｄの出力電圧は、それぞれＶA及びＶBと示される。これらの電圧は、ワイヤ４５２上の出力であり、以下の式１に従って、組み合わされ、キャリッジ支持磁気ヘッド１７０の位置を指示する位置電圧ＶPが定まる。
ＶP＝（ＶA−ＶB）／（ＶA＋ＶB）                        （式１）
移動可能な永久磁石４２３ｃが、ホール効果検出器４２３ａ及び４２３ｂとの間の略中間にある時のみＶPはゼロに成ることに注意。式１の分母（ＶA＋ＶB）が、移動可能な永久磁石４２３ｃの移行の中間点の近くで、和ＶA＋ＶBが、最小になる傾向にあり、増強された感度を与える。
式１によって与えられる位置の比による定義は、各電圧ＶA及びＶBの絶対値に依存することを無くしている。ＶPは、移動可能な永久磁石４２３ｃの各位置に対して一義的である。
ＬＶＤＴの基づく位置指示アッセンブリ１２３に対して記述されたルックアップテーブル校正が、ホール効果に基づく位置指示手段４２３等に同様に適用でき、ここでは再び記載されない。
位置測定分野における当業者は、上述の記載から、所望の公称トラック位置に対する磁気ヘッド１７０の位置を指示するために、他の形態の位置決定手段をボイスコイル１４０の管状の空胴４２２内に与えることが出来ることを理解するだろう。キャリッジ１６０に接続する移動可能な部分は、小さな質量を有するべきであり、全体の位置決定手段のサイズはコンパクトであるべきである。
更なる実施の形態によって、図４Ｂは、どの様にして光学的な位置決め手段が、ステータアッセンブリ１２０の空胴通路４２２を垂直方向に往復運動する光学的スケール４６７ａ’及び空胴内スケール読出手段（例えば、一つ以上のＬＥＤ及びホトダイオード）を使用して形成することが出来るかを示している。スケール４６７ａ’は好適には、四角又は他の光学パターンを有する軽量な光学物差しである。一つ以上のＬＥＤ及びホトダイオードの固定の組が、スケール読出手段４２３’内に、スケール４６７ａ’上に定められる四角又は他の光学パターンを照らし出し且つ読出すために空胴４２２内に備えられている。
モータ分野の当業者は、上述の記述から、ボイスコイルの位置を決めるためのボイスコイル１４０と内部に位置される手段（１２３ｄ又は４２３ｃ又は４６７ａ’）が、磁気記録ヘッド１７０の位置をテープに対して位置決めすることの以外の多くの応用に対して使用することが出来るコンパクトモータを提供することを理解するだろう。
図５Ａを参照する。キャリッジ支持ボイスコイル１４０及びヘッド１７０が移動路を決める別の案内機構の上面図が示されている。スライド部材５６８は、螺子又は他の手段によって、キャリッジ１６０’の中央位置に固定されている。この特定の実施の態様において、キャリッジ１６０’は、中央片から突出するローラホイール１６１−１６３を有していない。スライド部材１５８は、或る度合撓み且つ、極めて平滑に機械加工されたアルミニュウム合金（例えば、アルミニュウム６０６１  Ｔ−６）から作られる。
ＸＹ平面内でＣ型を有する静止部材５３０は、案内レールをとして機能する。固定部材５３０は、フレーム１１０のステータ支持表面１１１上に定められた、持ち上げられたＣ型の設置特徴部１１４に、当接され、且つ接着剤又は他の方法により、固定される。スライド部材は５６８はＣ型固定部材５３０の内部に沿ってＺ方向で往復運動し、頂部壁ベアリングボール５６１及び底部ベアリングホール５６２の対向する組の対によってＸＹ平面内で向きが固定されて保持される。前記ベアリングボールは固定部材５３０のＣ型の対向する頂部及び底部の内壁に位置されている。
図５Ｂは、案内機構５００の詳細な断面上面図を与えている。スライド部材５６８は固定部材５３０と同じ方向を向いているＣ型を有しており、固定部材５３０のＣ型状内に嵌合している。固定部材５３０は好ましくは設置特徴部１１４に当接するのが好ましく、この特徴部はフレーム１１０のダイキャストの延長部であり、剛体材料から作られる。他方、スライド部材５６８は、好ましくは、スプリング状の柔軟性を有するアルミニュウム合金の様な弾性材料から作られる。スライド部材５６８は、スプリング状スライド部材５６８の固定部材５３０のＣ型剛体への挿入が、固定部材５３０の内壁及び底部の壁に、スプリング付勢された力Ｈを加える様にその寸法が決められる。
４つの案内シャフトが、２つの対５３１−５３２、５３３−５３４として与えられ、各々固定部材５３０の内壁に当接している（対５３１−５３２のみが示されている）。４つの追加の案内シャフトが、２つの対５６３−５６４、５６５−５６６として与えられ、各々スライド部材５６８及び外方側面に当接している。シャフト５３１−５３２（図示せず）がシャフト５６３−５６６（図示せず）に対向している。ベアリングボール５６１、５６２（ボール５６２のみが示されている）が対向する案内シャフト５３１−５３２対５６３−５６４、及び５３３−５３４対５６５−５６６の間に作られる溝内で乗っている。ボールケージ５６７は、底ベアリングボール５６２を、対向するガイドシャフト５３１−５３２対５６３−５６４の間の溝に沿った均一に空間が開けられた垂直な箇所に、閉じ込めている。他のボールケージ（図示せず）は、上方のベアリングボール５６１（図示せず）を、対向するガイドシャフト５３３−５３４対５６５−５６６（図示せず）の間の溝に沿った均一に空間が開けられた垂直な箇所に、閉じ込めている。
シャフト５３１−５３２は、螺子及びLoctite Black Max 380 TMの様な適当な弾性を有する接着剤の何れか又は両方によって固定部材５３０の内壁に取り付けられている。シャフト５６３−５６４も螺子及びLoctite Black Max 380 TMの様な適当な弾性を有する接着剤の何れか又は両方によってスライド部材５６８の反対の外壁に取り付けられている。
シャフト５３１−５３２及びシャフト５６３は、各々の固定スライディング手段５３０、５６８の９０°の角によって、固定して位置される。これは、スライド部材５６９が移動する通路を決めている。案内シャフトはスライド部材５６８の外壁に沿って接着剤５６９により弾性的に位置され、或る程度のシャフト５６４の位置決めが行なわれる様にされる。ボールケージ５６７は好ましくは弾性体から作りだされ、その位置決めが行なわれる。ボールケージ５６７は、図示される様に固定部材５３０に取り付けられ、対向する案内シャフト５３１−５３２対５６３−５６４の溝内にベアリングボール５６２を位置している。
再び図５Ａを参照する。テープキャリッジ１８０がテープ駆動機構に挿入されない間中、キャリッジの動きを制限することが、ショックからダメージを避けるために好ましい。スプリング負荷されたラッチ１１５が、テープカートリッジ１８０を駆動機構から引き出す時に、ボイスコイル１４０上をスライドして、その動きを防止するために、フレーム１１０に設けられている。適当な電気駆動信号が、引き出す以前のボイスコイルモータに供給されて、引き出す以前に磁気ギャップ１２５の領域内に安全にボイスコイル１４０が留められる。フレーム１１０上の停止特徴部１１６は、スプリング付勢されたラッチ１１５のスプリング力に対抗し、ラッチ１１５の第１の端部１１５ａをキャリッジ１６０上に位置して、キャリッジの動きを阻止する。テープキャリッジ１８０が駆動機構に挿入される時、テープカートリッジ１８０は、ラッチ１１５の第２の端１１５ｂに係合し、ラッチ１１８の第１の端１１５ａを回転して、カートリッジ１６０の往復運動通路から離す。
上述の開示は本発明を説明するために用いられたものであり、本願の範囲又は思想を制限するためでは無い。数々の改良及び変形は、上記の開示を研究した後に当業者に明らかになるであろう。例示によって、図１、４Ａ及び４Ｂの各ＬＶＤＴのホール及び光学位置検出器の“ディップスティック（計量棒）”１６７ａ、４６７ａ及び４６７ａ’が、ステータの対向する空胴内へ往復運動する様に、ボイスコイルの空胴内の中央に都合良く位置されて示されているが、他の位置決めを使用することが出来る。例えば、光学的位置検出器（図４Ｂ）の場合において、光学スケールパターンを、ボイスコイルの内壁又は外壁に設ける（例えば、塗布）ことが出来、光学スケールパターンが、ボイスコイルと共に磁気ギャップ内を往復運動する時の様な時に、永久磁石１２６の下に位置する光発生器／検出器によって、又は内方又は外方極片１２４、１２７の一方又は他方を貫通する穴を通過することによって、検出される。ディップスティックは、キャリッジと一致してフレーム１１０及びフレーム１１０に取り付けられた位置検出器固定部分に対して移動するために、キャリッジ１６０を別の所に位置することも出来る。
一般的な概念及び特定の実施の形態に付いて上記開示が与えられているが、得ようとする保護範囲は添付された請求の範囲によって定められるべきである。
【図１】
0003736849.tif 000002
【図２】
0003736849.tif 000003
【図３】
0003736849.tif 000004
【図４Ａ】
0003736849.tif 000005
【図４Ｂ】
0003736849.tif 000006
【図５Ａ】
0003736849.tif 000007
【図５Ｂ】
0003736849.tif 000008